(57)【特許請求の範囲】
【請求項１】
貫通孔を有して扉に取着される本体ケースと、当該本体ケースの貫通孔に表面側から貫通する連結軸を有し、連結軸の軸回りに回動自在なハンドルと、前記本体ケースの裏面側で前記貫通孔から貫通した連結軸に連結され、ハンドルの所定回動範囲内で扉の側面に配設される箱体の開口縁部に係合又は非係合状態となって施錠したり解錠したりする鎖錠板とを備え、前記本体ケースの裏面に形成した回転角度規制溝と、回転角度規制溝に挿入され、前記鎖錠板に備えられた回転角度規制ピンとによって、鎖錠板の回動範囲が制限された扉鎖錠装置において、
前記鎖錠板のいずれか一方の面に第１の回転角度規制ピンを鎖錠板と一体に設けると共に当該第１の回転角度規制ピンが挿入される回転角度規制溝を備え、当該鎖錠板を表裏反転させ鎖錠板が本体ケースから突出する向きを反転させるようにした場合に、前記回転角度規制溝に挿入される第２の回転角度規制ピンを前記鎖錠板の残る一方の面に鎖錠板と一体に設けたことを特徴とする扉鎖錠装置。
【請求項２】
貫通孔を有して扉に取着される本体ケースと、当該本体ケースの貫通孔に表面側から貫通する連結軸を有し、連結軸の軸回りに回動自在なハンドルと、前記本体ケースの裏面側で前記貫通孔から貫通した連結軸に連結され、ハンドルの所定回動範囲内で扉の側面に配設される箱体の開口縁部に係合又は非係合状態となって施錠したり解錠したりする鎖錠板とを備え、前記本体ケースの裏面に形成した回転角度規制溝と、回転角度規制溝に挿入され、前記鎖錠板に備えられた回転角度規制ピンとによって、鎖錠板の回動範囲が制限された扉鎖錠装置において、
前記鎖錠板のいずれか一方の面に第１の回転角度規制ピンを、残る一方の面に第２の回転角度規制ピンをそれぞれ鎖錠板と一体に設けると共に、前記第１の回転角度規制ピンが挿入される第１の回転角度規制溝と、当該鎖錠板を表裏反転させ鎖錠板が本体ケースから突出する向きを反転させるようにした場合に、前記第２の回転角度規制ピンが挿入される第２の回転角度規制溝とを設けたことを特徴とする扉鎖錠装置。
【請求項３】
貫通孔を有して扉に取着される本体ケースと、当該本体ケースの貫通孔に表面側から貫通する連結軸を有し、連結軸の軸回りに回動自在なハンドルと、前記本体ケースの裏面側で前記貫通孔から貫通した連結軸に連結され、ハンドルの所定回動範囲内で扉の側面に配設される箱体の開口縁部に係合又は非係合状態となって施錠したり解錠したりする鎖錠板とを備え、前記鎖錠板に形成した回転角度規制溝と、回転角度規制溝に挿入され、前記本体ケースの裏面に備えられた回転角度規制ピンとによって、鎖錠板の回動範囲が制限された扉鎖錠装置において、
前記鎖錠板に前記回転角度規制ピンが挿入される第１の回転角度規制溝と、当該鎖錠板を表裏反転させて鎖錠板が本体ケースから突出する向きを反転させるようにした場合に、前記回転角度規制ピンが挿入される第２の回転角度規制溝とを設けたことを特徴とする扉鎖錠装置。
【請求項４】
前記鎖錠板の先端部に保護キャップが備えられ、当該保護キャップの両側面に、箱体の開口縁部に鎖錠板を係止容易にするガイド部及び開口縁部に当接する弾性部とを備えたことを特徴とする請求項１、２又は３記載の扉鎖錠装置。
【発明の詳細な説明】
【０００１】
【発明が属する技術分野】
本発明は、扉鎖錠装置に関する。具体的には、左右両開き用に対応した扉鎖錠装置に関する。
【０００２】
【従来の技術】
分電盤や制御盤等を収納する箱体に扉が開閉自在に取着された収納箱には、蝶番が扉の右側に設けられる所謂左開き扉と、蝶番が扉の左側に備えられるいわゆる右開き扉とがある。これらの収納箱に取り付けられる扉鎖錠装置においては、左開き扉にも右開き扉にでも対応できるよう種々の工夫が施される。
【０００３】
その一方で、鎖錠板が解錠位置から回転し過ぎることを防ぐため、鎖錠板の回転角度が規制された扉鎖錠装置が用いられる。鎖錠板の回転角度を規制するため、例えば、特開平１０−１３１５７０号公報や特開平１０−１３１５７１号公報に開示された扉鎖錠装置には、扉鎖錠装置を構成する本体ケースの裏面に備えられた回転角度規制溝と、当該回転角度規制溝に挿入され扉裏面側において鎖錠板に取着される回転角度規制ピンとが備えられている。
【０００４】
このようなハンドルの回転角度が規制された扉鎖錠装置においては、左開き扉にも右開き扉にも対応するためには、従来、鎖錠板そのものを左開き扉用、右開き扉用として別部品にするか、上記特開平１０−１３１５７０号公報や特開平１０−１３１５７１号公報に開示されたように、回転角度規制ピンと鎖錠板とを別体に構成して、鎖錠板をハンドルの回転軸回りに回転させて、回転角度規制ピンの取着位置を組み替えることによって対応していた。
【０００５】
【発明が解決しようとする課題】
しかしながら、鎖錠板を別部品にすれば鎖錠板の品種が増え、部品管理が煩わしく、製造コストの増大にもつながっていた。また、回転角度規制ピンを組み替えることにすれば、鎖錠板の付け替えのみならず回転角度規制ピンの付け替えという手間が必要となるだけでなく、部品点数の増大にもつながり、しかも、回転角度規制ピンを紛失する可能性もあった。
【０００６】
本発明は上記従来技術の問題点を解決すべくなされたものであって、鎖錠板を表裏反転させて付け替えるという簡単な組み替えにより、別部品とすることなく左開き扉、右開き扉のいずれにも対応できる、手間のかからない扉鎖錠装置を提供することにある。
【０００７】
【課題を解決するための手段】
本願第１の発明に係る扉鎖錠装置は、貫通孔を有して扉に取着される本体ケースと、当該本体ケースの貫通孔に表面側から貫通する連結軸を有し、連結軸の軸回りに回動自在なハンドルと、前記本体ケースの裏面側で前記貫通孔から貫通した連結軸に連結され、ハンドルの所定回動範囲内で扉の側面に配設される箱体の開口縁部に係合又は非係合状態となって施錠したり解錠したりする鎖錠板とを備え、前記本体ケースの裏面に形成した回転角度規制溝と、回転角度規制溝に挿入され、前記鎖錠板に備えられた回転角度規制ピンとによって、鎖錠板の回動範囲が制限された扉鎖錠装置において、前記鎖錠板のいずれか一方の面に第１の回転角度規制ピンを鎖錠板と一体に設けると共に当該第１の回転角度規制ピンが挿入される回転角度規制溝を備え、当該鎖錠板を表裏反転させ鎖錠板が本体ケースから突出する向きを反転させるようにした場合に、前記回転角度規制溝に挿入される第２の回転角度規制ピンを前記鎖錠板の残る一方の面に鎖錠板と一体に設けたことを特徴としている。
【０００８】
また、本願第２の発明に係る扉鎖錠装置は、貫通孔を有して扉に取着される本体ケースと、当該本体ケースの貫通孔に表面側から貫通する連結軸を有し、連結軸の軸回りに回動自在なハンドルと、前記本体ケースの裏面側で前記貫通孔から貫通した連結軸に連結され、ハンドルの所定回動範囲内で扉の側面に配設される箱体の開口縁部に係合又は非係合状態となって施錠したり解錠したりする鎖錠板とを備え、前記本体ケースの裏面に形成した回転角度規制溝と、回転角度規制溝に挿入され、前記鎖錠板に備えられた回転角度規制ピンとによって、鎖錠板の回動範囲が制限された扉鎖錠装置において、前記鎖錠板のいずれか一方の面に第１の回転角度規制ピンを、残る一方の面に第２の回転角度規制ピンをそれぞれ鎖錠板と一体に設けると共に、前記第１の回転角度規制ピンが挿入される第１の回転角度規制溝と、当該鎖錠板を表裏反転させ鎖錠板が本体ケースから突出する向きを反転させるようにした場合に、前記第２の回転角度規制ピンが挿入される第２の回転角度規制溝とを設けたことを特徴としている。
【０００９】
さらに、本願第３の発明に係る扉鎖錠装置は、貫通孔を有して扉に取着される本体ケースと、当該本体ケースの貫通孔に表面側から貫通する連結軸を有し、連結軸の軸回りに回動自在なハンドルと、前記本体ケースの裏面側で前記貫通孔から貫通した連結軸に連結され、ハンドルの所定回動範囲内で扉の側面に配設される箱体の開口縁部に係合又は非係合状態となって施錠したり解錠したりする鎖錠板とを備え、前記鎖錠板に形成した回転角度規制溝と、回転角度規制溝に挿入され、前記本体ケースの裏面に備えられた回転角度規制ピンとによって、鎖錠板の回動範囲が制限された扉鎖錠装置において、前記鎖錠板に前記回転角度規制ピンが挿入される第１の回転角度規制溝と、当該鎖錠板を表裏反転させて鎖錠板が本体ケースから突出する向きを反転させるようにした場合に、前記回転角度規制ピンが挿入される第２の回転角度規制溝とを設けたことを特徴としている。
【００１０】
これらいずれの扉鎖錠装置においても、前記鎖錠板の先端部に保護キャップを備え、当該保護キャップの両側面に、箱体の開口縁部に鎖錠板を係止容易にするガイド部及び開口縁部に当接する弾性部とを備えるのが好ましい。
【００１１】
【発明の実施の形態】
以下、本発明について各図に従って詳細に説明する。まず、本願第１の発明に係る扉鎖錠装置について説明する。図１〜図７は当該発明の一実施形態に係る扉鎖錠装置に関するものであって、図１はその一実施形態を示す分解斜視図、図２は右開き扉用としての扉鎖錠装置を示す背面図であって、解錠状態を示す図、図３はその施錠状態を示す図、図４は図３に示すＡ−Ａ線断面図、図５は左開き扉用としての扉鎖錠装置を示す背面図であって、解錠状態を示す図、図６はその施錠状態を示す図、図７は図６に示すＢ−Ｂ線断面図、図８は鎖錠板に取り付けられる保護キャップを示す図である。
【００１２】
当該扉鎖錠装置は、図１に示すように、扉Ａ（図４又は図７参照）に取着される本体ケース１とこの本体ケース１の表面側に回動自在に取着されるハンドル２と本体ケース１の裏面側でハンドル２に連結される鎖錠板３とにて構成される。この扉鎖錠装置は、基本的には特開平１０−１３１５７１号公報あるいは特開平１０−１３１５７０号公報に示す構成と同一であり、異なる点は本体ケース１の裏面側と鎖錠板３であるので、これらの点を中心に説明する。
【００１３】
本体ケース１は、図１に示すように、表面側から裏面側にかけて貫通する貫通孔４が穿孔してあり、この貫通孔４に後述するハンドル２の連結軸５が挿通されてハンドル２を連結軸５の軸回りに回動自在に支持する。本体ケース１の裏面側で貫通孔４周囲の連結軸５の軸回りには、鎖錠板３の回動範囲をそれぞれ約９０度の範囲で規制する回転角度規制溝１１が一つ形成されている。
【００１４】
ハンドル２は、本体ケース１の表面側に装着されるものであって、本体ケース１の貫通孔４から本体ケース１の裏面側に貫通する角軸状の連結軸５を有し、ハンドル２を連結軸５の軸回りに回動操作することでハンドル２と一緒に連結軸５が回動するようになっている。
【００１５】
鎖錠板３は、本体ケース１の裏面側で貫通孔４から貫通したハンドル２の連結軸５に連結されて箱体Ｂの開口縁部１５若しくは扉裏面側に係合又は非係合状態となって扉Ａを施錠を施錠したり解錠したりするものであって、本体ケース１の裏面側でハンドル２に対して直交する方向で連結軸５に連結される。この鎖錠板３の基端側には、本体ケース１裏面側の貫通孔４近傍に位置させた状態で角軸状の連結軸５に嵌合する角孔状の連結孔６が形成されており、連結孔６を連結軸５に嵌合させた状態で取着ネジ７を連結軸５に螺合させることによりハンドル２と鎖錠板３とが連結される。
【００１６】
この鎖錠板３の一方の面には、上記回転角度規制溝１１に挿入されて当該溝１１との間で鎖錠板３の回動角度を規制する第１の回転角度規制ピン１２ａが鎖錠板３と一体に設けられている。この第１の回転角度規制ピン１２ａは、例えば右開き扉用に備えられており、図２及び図３に示す如く、解錠状態と鎖錠状態との間で、鎖錠板３の回動角度が略９０度に規制される。
【００１７】
また、鎖錠板３の残る面にも、上記回転角度規制溝１１に挿入されて当該溝１１との間で鎖錠板３の回動角度を規制する第２の回転角度規制ピン１２ｂが鎖錠板３と一体に設けられている。第１の回転角度規制ピン１２ａが右開き扉用であるのに対し、この第２の回転角度規制ピン１２ｂは、図５及び図６に示す如く、左開き扉用に備えられており、解錠状態と鎖錠状態との間で、鎖錠板３の回動角度が略９０度に規制される。
【００１８】
具体的に言えば、第２の回転角度規制ピン１２ｂは、第１の回転角度規制ピン１２ａに対し、鎖錠板３の裏面側で連結軸５の軸回りに１８０度回転させた位置に備えられ、鎖錠板３を表裏反転させて鎖錠板３が本体ケース１から突出する向きを略１８０度反転させた場合に、本体ケース１裏面の回転角度規制溝１１に挿入可能になっている。
【００１９】
鎖錠板３の先端には、図８に示すような保護キャップ８が取着されている。当該保護キャップ８は、箱体Ｂの開口縁部に鎖錠板３を係止容易にするガイド部１３を備えている。このガイド部１３は、その両側面においてその中央部分から上下方向に掛けて薄くなるように傾斜状に形成されると共に鎖錠板１３の先端から基端部方向に掛けて厚みを増すように傾斜状に形成される。この結果、右開き扉用あるいは左開き扉用のいずれに取着したとしても、鎖錠板３の回転に併せて、鎖錠板３が箱体Ｂの開口縁部１５に係合しやすくなっている。また、保護キャップ８の両側面中央には、箱体Ｂの開口縁部１５に当接する断面略半円状の弾性部１４を備えており、開口縁部１５に点接触する形となって扉Ａのがたつきを最小限に抑えることができるようになっている。
【００２０】
しかして、この扉鎖錠装置において、図１及び図２、図３、図４に示す如く、第１の回転角度規制ピン１２ａを回転角度規制溝１１に挿入するように鎖錠板３を取着した場合には、当該回転角度規制溝１１内で第１の回転角度規制ピン１２ａの移動が制限され、ハンドル２を回動操作することにより鎖錠板３が箱体Ｂの開口縁部１５に係合又は非係合状態となって扉Ａを施錠したり解錠したりすることができる。また、図５及び図６、図７に示す如く、鎖錠板３を表裏反転させて、第２の回転角度規制ピン１２ｂを回転角度規制溝１１に挿入するように鎖錠板３を取着した場合には、当該回転角度規制溝１１内で第２の回転角度規制ピン１２ｂの移動が制限され、ハンドル２を回動操作することにより鎖錠板３が箱体Ｂの裏面側に係合又は非係合状態となって扉Ａを施錠したり解錠したりすることができる。このように、鎖錠板３を表裏反転させて鎖錠板３が本体ケース１から突出する向きを略１８０度反転させることによって、右開き用の扉と左開き用の扉とのどちらでも取着することができる。
【００２１】
また、保護キャップ８によって、図２（又は図５）に示すハンドル２が突出した状態から図３（又は図６）に示す位置にハンドル２を回動させると、保護キャップ８のガイド部１３によって鎖錠板３がスムーズに開口縁部１５に係合され、また、弾性部１４が箱体Ｂの開口縁部１５に当接して、扉Ａのがたつきが防止される。
【００２２】
なお、回転角度規制ピン１２は鎖錠板３に一体に形成されればよく、例えば鎖錠板３と一体に成形加工したり、溶接や接着によって鎖錠板３に取着してもよい。また、螺合手段等によって鎖錠板３に螺合させてもよい。
【００２３】
このように、当該扉鎖錠装置においては、回転角度規制ピン１２を付け替えたりすることなく、右開き扉用の扉鎖錠装置として、あるいは左開き扉用の扉鎖錠装置とすることができる。また、一の回転角度規制溝１１を設けるのみで、右開き用扉、左開き用扉のいずれにでも対応できる。
【００２４】
次に、本願第２の発明について説明する。図９〜図１５は当該発明の一実施形態に係る扉鎖錠装置に関するものであって、図９はその一実施形態を示す分解斜視図、図１０は右開き扉用としての扉鎖錠装置を示す背面図であって、解錠状態を示す図、図１１はその施錠状態を示す図、図１２は図１１に示すＡ−Ａ線断面図、図１３は左開き扉用としての扉鎖錠装置を示す背面図であって、解錠状態を示す図、図１４はその施錠状態を示す図、図１５は図１４に示すＢ−Ｂ線断面図である。
【００２５】
当該扉鎖錠装置は、図９に示すように、扉Ａ（図１２又は図１５参照）に取着される本体ケース１とこの本体ケース１の表面側に回動自在に取着されるハンドル２と本体ケース１の裏面側でハンドル２に連結される鎖錠板３とにて構成される点では同様であるが、本体ケース１の裏面側には、２つの回転角度規制溝１１ａ，１１ｂが備えられ、鎖錠板３に設けられる第１の回転角度規制ピン１２ａ及び第２の回転角度規定ピン１２ｂの相対位置が違う点で異なるのみである。
【００２６】
第１の回転角度規制溝１１ａ及び第２の回転角度規制溝１１ｂは、本体ケース１の裏面側で貫通孔４の回りに１８０度回転した位置に備えられる。この鎖錠板３の一方の面には、上記いずれか一方の回転角度規制溝（第１の回転角度規制溝１１ａ）に挿入されて当該第１の回転角度規制溝１１ａとの間で鎖錠板３の回動角度を規制する第１の回転角度規制ピン１２ａが鎖錠板３と一体に設けられている。これら第１の回転角度規制ピン１２ａ及び第１の回転角度規制溝１１ａは、例えば右開き扉用に備えられており、図１０及び図１１に示す如く、解錠状態と鎖錠状態との間で、鎖錠板３の回動角度が略９０度に規制される。
【００２７】
また、鎖錠板３の残る面にも、残る一方の回転角度規制溝（第２の回転角度規制溝１１ｂ）に挿入されて当該第２の回転角度規制溝１１ｂとの間で鎖錠板３の回動角度を規制する第２の回転角度規制ピン１２ｂが鎖錠板３と一体に設けられている。第１の回転角度規制ピン１２ａが右開き扉用であるのに対し、この第２の回転角度規制ピン１２ｂは、図１３及び図１４に示す如く、左開き扉用に備えられており、解錠状態と鎖錠状態との間で、鎖錠板３の回動角度が略９０度に規制される。
【００２８】
具体的に言えば、第１の回転角度規制ピン１２ａと第２の回転角度規制ピン１２ｂは、鎖錠板３の表裏面側でほぼ同じ位置に備えられ、鎖錠板３を表裏反転させて鎖錠板３が本体ケース１から突出する向きを略１８０度反転させた場合に、鎖錠板３の一方の面に備えられた第１の回転角度規制ピン１２ａ（又は第２の回転角度規制ピン１２ｂ）が本体ケース１裏面の第１の回転角度規制溝１１ａ（又は第２の回転角度規制溝１１ｂ）に挿入可能になっている。なお、この第１の回転角度規制ピン１２ａと第２の回転角度規制ピン１２ｂは、上記の如くそれぞれ鎖錠板３と一体に設けることができればよく、一の軸棒を鎖錠板３に挿通させて設けることもできる。
【００２９】
しかして、この扉鎖錠装置において、図９及び図１０、図１１、図１２に示す如く、第１の回転角度規制ピン１２ａを第１の回転角度規制溝１１ａに挿入するように鎖錠板３を取着した場合には、溝内で第１の回転角度規制ピン１２ａの移動が制限され、ハンドル２を回動操作することにより鎖錠板３が箱体Ｂの開口縁部１５に係合又は非係合状態となって扉Ａを施錠したり解錠したりすることができる。また、図１３及び図１４、図１５に示す如く、鎖錠板３を表裏反転させて、第２の回転角度規制ピン１２ｂを回転角度規制溝１１に挿入するように鎖錠板３を取着した場合には、溝内で第２の回転角度規制ピン１２ｂの移動が制限され、ハンドル２を回動操作することにより鎖錠板３が箱体Ｂの開口縁部１５に係合又は非係合状態となって扉Ａを施錠したり解錠したりすることができる。このように、鎖錠板３を表裏反転させて、鎖錠板３が本体ケース１から突出する向きを略１８０度反転させることによって、右開き用の扉と左開き用の扉とのどちらでも取着することができるようになっている。
【００３０】
この扉鎖錠装置においても、回転角度規制ピン１２ａ，１２ｂを付け替えることなく、右開き扉用、左開き扉用のいずれにでも対応することができる。
【００３１】
次いで、本願第３の発明について説明する。図１６〜図２２は当該発明の一実施形態に係る扉鎖錠装置に関するものであって、図１６はその一実施形態を示す分解斜視図、図１７は右開き扉用としての扉鎖錠装置を示す背面図であって、解錠状態を示す図、図１８はその施錠状態を示す図、図１９は図１８に示すＡ−Ａ線断面図、図２０は左開き扉用としての扉鎖錠装置を示す背面図であって、解錠状態を示す図、図２１はその施錠状態を示す図、図２２は図２１に示すＢ−Ｂ線断面図である。
【００３２】
当該扉鎖錠装置は、図１６に示すように、扉Ａ（図１９又は２２参照）に取着される本体ケース１とこの本体ケース１の表面側に回動自在に取着されるハンドル２と本体ケース１の裏面側でハンドル２に連結される鎖錠板３とにて構成される点では同様であるが、本体ケース１の裏面側に一つの回転角度規制ピン１２が備えられ、鎖錠板３に前記回転角度規制ピン１２を挿入する２つの回転角度規制溝１１ａ，１１ｂが備えられている点で異なっている。
【００３３】
この鎖錠板３には、上記回転角度規制ピン１２が挿入されて当該回転角度規制ピン１２との間で鎖錠板３の回動角度を規制する第１の回転角度規制溝１１ａと第２の回転角度規制溝１１ｂが設けられている。第１の回転角度規制溝１１ａは、右開き扉用に備えられており、図１７及び図１８に示す如く、解錠状態と鎖錠状態との間で、鎖錠板３の回動角度が略９０度に規制される。また、鎖錠板３には、上記回転角度規制ピン１２が挿入されて当該回転角度規制ピン１２との間で鎖錠板３の回動角度を規制する第２の回転角度規制溝１１ｂが設けられている。第１の回転角度規制溝１１ａが右開き扉用であるのに対し、この第２の回転角度規制溝１１ｂは、図２０及び図２１に示す如く、左開き扉用に備えられており、解錠状態と鎖錠状態との間で、鎖錠板３の回動角度が略９０度に規制される。
【００３４】
具体的に言えば、第２の回転角度規制溝１１ｂは、第１の回転角度規制溝１１ａに対し、貫通孔４の回りに１８０度回転させた位置に備えられ、鎖錠板３を表裏反転させて鎖錠板３が本体ケース１から突出する向きを略１８０度反転させた場合に、本体ケース１裏面の回転角度規制ピン１２を挿入可能になっている。
【００３５】
しかして、この扉鎖錠装置において、図１６及び図１７、図１８、図１９に示す如く、回転角度規制ピン１２を第１の回転角度規制溝１１ａに挿入するように鎖錠板３を取着した場合には、第１の回転角度規制溝１１ａ内で回転角度規制ピン１２の移動が制限され、ハンドル２を回動操作することにより鎖錠板３が箱体Ｂの開口縁部１５に係合又は非係合状態となって扉Ａを施錠したり解錠したりすることができる。また、図２０及び図２１、図２２に示す如く、鎖錠板３を表裏反転させて回転角度規制ピン１２を第２の回転角度規制溝１１ｂに挿入するように鎖錠板３を取着した場合には、第２の回転角度規制溝１１ｂ内で回転角度規制ピン１２の移動が制限され、ハンドル２を回動操作することにより鎖錠板３が箱体Ｂの開口縁部１５に係合又は非係合状態となって扉Ａを施錠したり解錠したりすることができる。このように、鎖錠板３を表裏反転させて、鎖錠板３が本体ケース１から突出する向きを略１８０度反転させることによって、右開き用の扉と左開き用の扉のどちらでも取着することができるようになっている。
【００３６】
このように、この扉鎖錠装置においても、回転角度規制ピン１２を付け替えることなく、右開き扉用、左開き扉用のいずれにでも対応することができる。
【００３７】
【発明の効果】
本願発明に係る扉鎖錠装置のいずれにおいても、回転角度規制ピンが鎖錠板と一体に備えられ、鎖錠板を表裏反転させ鎖錠板が本体ケースから突出する向きを反転させるようにした場合に、鎖錠板若しくは本体ケースに備えられた回転角度規制ピンが、本体ケース若しくは鎖錠板に設けられた回転角度規制溝に挿入されるようになっている。この結果、鎖錠板を表裏反転させ鎖錠板の取着方向を変えることにより、回転角度規制ピンを付け替えることなく、右開き扉、左開き扉のいずれにでも対応することができる。
【図面の簡単な説明】
【図１】本願第１の発明の一実施形態に係る扉鎖錠装置の分解斜視図である。
【図２】同上の右開き扉用としての扉鎖錠装置を示す背面図であって、解錠状態を示す図である。
【図３】同上の右開き扉用としての扉鎖錠装置を示す背面図であって、施錠状態を示す図である。
【図４】図３に示すＡ−Ａ線断面図である。
【図５】同上の左開き扉用としての扉鎖錠装置を示す背面図であって、解錠状態を示す図である。
【図６】同上の左開き扉用としての扉鎖錠装置を示す背面図であって、施錠状態を示す図である。
【図７】図６に示すＡ−Ａ線断面図である。
【図８】鎖錠板に取り付けられる保護キャップを示す図であって、同図（ａ）はその左側面図、同図（ｂ）はその正面図、同図（ｃ）はその右側面図、同図（ｄ）はその上面図である。
【図９】本願第２の発明の一実施形態に係る扉鎖錠装置の分解斜視図である。
【図１０】同上の右開き扉用としての扉鎖錠装置を示す背面図であって、解錠状態を示す図である。
【図１１】同上の右開き扉用としての扉鎖錠装置を示す背面図であって、施錠状態を示す図である。
【図１２】図１１に示すＡ−Ａ線断面図である。
【図１３】同上の左開き扉用としての扉鎖錠装置を示す背面図であって、解錠状態を示す図である。
【図１４】同上の左開き扉用としての扉鎖錠装置を示す背面図であって、施錠状態を示す図である。
【図１５】図１４に示すＢ−Ｂ線断面図である。
【図１６】本願第３の発明の一実施形態に係る扉鎖錠装置の分解斜視図である。
【図１７】同上の右開き扉用としての扉鎖錠装置を示す背面図であって、解錠状態を示す図である。
【図１８】同上の右開き扉用としての扉鎖錠装置を示す背面図であって、施錠状態を示す図である。
【図１９】図１８に示すＡ−Ａ線断面図である。
【図２０】同上の左開き扉用としての扉鎖錠装置を示す背面図であって、解錠状態を示す図である。
【図２１】同上の左開き扉用としての扉鎖錠装置を示す背面図であって、施錠状態を示す図である。
【図２２】図２１に示すＢ−Ｂ線断面図である。
【符号の説明】
１  本体ケース
２  ハンドル
３  鎖錠板
４  貫通孔
５  連結軸
８  保護キャップ
１１，１１ａ，１１ｂ  回転角度規制溝
１２，１２ａ，１２ｂ  回転角度規制ピン
１３  ガイド部
１４  弾性部
１５  開口縁部
Ａ  扉
Ｂ  箱体
【図１】
0003928386.tif 000002
【図２】
0003928386.tif 000003
【図３】
0003928386.tif 000004
【図４】
0003928386.tif 000005
【図５】
0003928386.tif 000006
【図６】
0003928386.tif 000007
【図７】
0003928386.tif 000008
【図８】
0003928386.tif 000009
【図９】
0003928386.tif 000010
【図１０】
0003928386.tif 000011
【図１１】
0003928386.tif 000012
【図１２】
0003928386.tif 000013
【図１３】
0003928386.tif 000014
【図１４】
0003928386.tif 000015
【図１５】
0003928386.tif 000016
【図１６】
0003928386.tif 000017
【図１７】
0003928386.tif 000018
【図１８】
0003928386.tif 000019
【図１９】
0003928386.tif 000020
【図２０】
0003928386.tif 000021
【図２１】
0003928386.tif 000022
【図２２】
0003928386.tif 000023